(57)【特許請求の範囲】
【請求項１】
相対的に安定している貯温容量を持つ地層、地表、貯水池、湖泊、河川、砂漠、氷山、海洋を含む固相或いは液相の自然貯温ユニットによって構成する自然貯温マトリックス（１０１）の温度エネルギーを通して、発光二極体（ＬＥＤ）（３００）によって構成する「背面に散熱構造を持つ発光二極体（ＬＥＤ）の構成を持つ半導体応用装置」（１０３１）及び「背面に散熱構造を持つ光エネルギーを電気エネルギーに転換する光電発電装置（１０００）を構成する半導体応用装置」（１０３２）及び電気エネルギー貯蔵装置（９００）に対して、熱エネルギーを産生することによって温度均一化を保ち、
少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が「背面に散熱構造を持つ発光二極体（ＬＥＤ）の構成を持つ半導体応用装置」（１０３１）及び「背面に散熱構造を持つ光エネルギーを電気エネルギーに転換する光電発電装置（１０００）を構成する半導体応用装置」（１０３２）及び電気エネルギー貯蔵装置（９００）に流れてから、再び流体輸送配管（１０５）を経て、自然貯温ユニット（１０１）に設置する均熱装置（１０２）へ戻ることによって、流体循環を構成する半導体応用装置の温度均一化システムにおいて、
（１）熱伝導特性を有する材料によって構成され、また自然貯温ユニット（１０１）と熱伝導特性を有する構造であり、本体に流体流入口、流体流出口及び内部流体通路を有する均熱装置（１０２）であって、
或いは自然貯温ユニット（１０１）の内部に流体が流通する空間を通して、直接的に均熱装置（１０２）の貯温機能を構成することによって、熱伝導特性を有する材料に取り換え、均熱装置（１０２）を形成し、或いは二個同時に設置される均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ発光二極体（ＬＥＤ）の構成を持つ半導体応用装置」（１０３１）及び「背面に散熱構造を持つ光エネルギーを電気エネルギーに転換する光電発電装置を構成する半導体応用装置」（１０３２）及び電気エネルギー貯蔵装置（９００）によって構成する半導体応用装置に対して、自然貯温ユニットの温度均一化システムを通して、温度均一化を保つこと、
（１ｂ）或いは一個の均熱装置（１０２）によって、一個以上の「背面に散熱構造を持つ発光二極体（ＬＥＤ）の構成を持つ半導体応用装置」（１０３１）及び「背面に散熱構造を持つ光エネルギーを電気エネルギーに転換する光電発電装置を構成する半導体応用装置」（１０３２）及び電気エネルギー貯蔵装置（９００）によって、独立設置する半導体応用装置の設置を通して、自然貯温ユニットの温度均一化システムを通して、温度均一化を保つこと、
（１ｃ）或いは二個以上の均熱装置（１０２）によって、二個以上の「背面に散熱構造を持つ発光二極体（ＬＥＤ）の構成を持つ半導体応用装置」（１０３１）及び「背面に散熱構造を持つ光エネルギーを電気エネルギーに転換する光電発電装置を構成する半導体応用装置」（１０３２）及び電気エネルギー貯蔵装置（９００）によって独立設置する半導体応用装置の設置を通して、自然貯温ユニットの温度均一化システムを通して、温度均一化を保つこと、
（２１）固相半導体によって構成され、或いは散熱装置の半導体に結合することによって構成され、或いは半導体パッケージによって構成され、或いは散熱装置パッケージと結合している半導体によって構成され、
半導体によって結合の散熱装置に含まれる液相、気相、固相、或いはヒートパイプを持つ散熱装置を含み、
温度均一化を保とうとする構成或いは上記の各種半導体応用装置（１０３）本体によって冷却或いは加熱装置の散熱器を配置し、温度均一化を保つ構成を含み、
半導体応用装置（１０３）本体の内部に、流体（１０４）を流通する配管を持ち、及び半導体応用装置（１０３）に温度を均一に保とうとする標的構造の位置に、流体（１０４）の温度均一化調節構造を設置し、或いは直接的に流体（１０４）を流通する配管に、温度均一化調節の標的位置を通過するときに、直接的に温度均一化調節機能を作動させ、
また流体分流配管（１１９）、分流制御バルブ（１２０）、分流補助ポンプ（１２１）を含む装置を選択的に設置し、自然貯温ユニット（１０１）の中に設置する均熱装置（１０２）を通過する流体（１０４）を導入し、半導体応用装置（１０３）を通過することによって、選定する個別温度を均一に保とうとする一部の温度を均一に調節し、また再び均熱装置（１０２）へ戻り、循環を形成することによって温度均一化機能を作動させる半導体応用装置（１０３）に含まれ、サポーター（６００）の上端に設置され、
発光二極体（ＬＥＤ）（３００）及び散熱装置の配置によって構成し、また散熱装置に流体輸送配管（１０５）を配置することによって、流体（１０４）を通過する「背面に散熱構造を持つ発光二極体（ＬＥＤ）の構成を持つ半導体応用装置」（１０３１）、
（２２）半導体応用装置（１０３）に含まれ、サポーター（６００）の上端に設置され、光エネルギーを電気エネルギーに転換する半導体のガラス基板或いはセクションで、流体輸送配管の散熱構造を持つ光エネルギーを電気エネルギーに転換する光電発電装置（１０００）によって構成し、受光するとき、発電する電気エネルギーを電気エネルギー貯蔵装置（９００）へ輸送し、或いは発光二極体（ＬＥＤ）（３００）に対して給電する「背面に散熱構造を持つ光エネルギーを電気エネルギーに転換する光電発電装置を構成する半導体応用装置」（１０３２）、
（１５）入力電気エネルギーのオン／オフ機能を制御し、及び発光二極体（ＬＥＤ）（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御し、
電気エネルギー負荷を低減する方式は、電源電圧或いは負荷抵抗を変動することによって、入力電気エネルギーを低減させ或いは一部の負荷を切断することを含み、
送電起動システムの時期は、人工操作、定時設定、信号ランダムドライブ、環境の明るさを参考条件とし、特に環境が明から暗に変わることによってシステムを起動する場合、システムのオン／オフ時間は、人工操作、定時操作、信号ランダムドライブ、環境の明るさを参考条件とし、特に環境が暗から明に変わるとき、システムをオフし、
独立或いは「背面に散熱構造を持つ発光二極体（ＬＥＤ）の構成を持つ半導体応用装置」（１０３１）の散熱装置に設置することによって、自然貯温ユニット（１０１）を通して、温度均一化を共同維持するドライブ制御回路（３１０）、
（１９）充放電可能な二次電池、コンデンサ或いはスーパーコンデンサによって構成され、電気エネルギーを貯蔵し、及び発光二極体（ＬＥＤ）（３００）に対して給電し、温度測定装置（１０７）及び流体輸送配管（１０５）を設置することができる電気エネルギー貯蔵装置（９００）、
（２０）機械電気或いは固相半導体回路コンポネント或いはインテグレートサーキットによって構成し、光エネルギーを電気エネルギーに転換する光電発電装置（１０００）の出力電圧電流を制御する電気エネルギー制御装置（１００５）、
（３）熱伝送機能を持つ気体或いは液体を含む流体であって、システム作動中にポンプ（１０６）のポンピングを受け、自然貯温ユニット（１０１）の中に設置する均熱装置（１０２）を通過してから、及び流体輸送配管（１０５）を通過してから、混合流或いは分流方式を選択し、「背面に散熱構造を持つ発光二極体（ＬＥＤ）の構成を持つ半導体応用装置」（１０３１）、電気エネルギー貯蔵装置（９００）、及び「背面に散熱構造を持つ光エネルギーを電気エネルギーに転換する光電発電を構成する半導体応用装置」（１０３２）を通過し、流体輸送配管（１０５）を経て均熱装置（１０２）へ戻り、循環を形成することによって温度均一化機能を作動させ、または温かい空気が上昇し、冷たい空気は下降する効果により、循環を形成し、温度均一化機能を作動させる流体（１０４）、
（４）流体（１０４）が流動する配管構造によって構成される流体輸送配管（１０５）、
（４ａ）流体輸送配管（１０５）は、均熱装置（１０２）と、「背面に散熱構造を持つ発光二極体（ＬＥＤ）の構成を持つ半導体応用装置」（１０３１）、「背面に散熱構造を持つ光エネルギーを電気エネルギーに転換する光電発電を構成する半導体応用装置」（１０３２）、及び電気エネルギー貯蔵装置（９００）との間に設置され、またポンプ（１０６）が接続されること、
（５）電力、機械力、人力、その他自然力を動力源とし、流体ポンプを駆動することによって構成され、流体輸送配管（１０５）に連続的に設置され、制御ユニット（１１０）の制御を受けることによって流体（１０４）をポンピングし、ポンピング機能により流体の温かい空気は上昇し、冷たい空気は下降する対流効果に取り換えるポンプ（１０６）、
（６）各種の使用可能なアナログ或いはデジタル機械電気或いは固相電子装置によって構成され、ポンプ（１０６）を通して、システムを設定温度範囲内に作動或いは停止させ、及びシステムに温度調節補助装置（１０９）を設置し、ポンプ（１０６）が設定時間に作動しても、温度が設定範囲内に到達できないとき、温度調節補助装置（１０９）を起動する温度測定装置（１０７）、
（６ａ）温度測定装置（１０７）は、「背面に散熱構造を持つ発光二極体（ＬＥＤ）の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）に設置されること、
（６ｂ）温度測定装置（１０７）は、温度を指示し、或いは制御信号を制御ユニット（１１０）及び／或いは電気エネルギー制御装置（１００５）へフィードバックすること、
（７）流体の雑質をろ過し、配管の閉塞を防ぎ、流体の清潔度を確保するために、流体循環回路の各項装置の流体吸入口或いは流出口に設置され、或いは流体輸送配管（１０５）の中の選定位置に設置されるろ過装置（１０８）、
（８）流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる温度調節補助装置（１０９）、
（９）機械電気或いは固体素子回路及びソフトウェア関連によって構成され、その機能は温度測定装置（１０７）の温度測定信号及びシステムの温度設定値、ポンプ（１０６）、流体（１０４）を圧送することによって、一方向流動の連続圧送を作動させ、或いは間欠圧送を作動させ、流体（１０４）の流向と流量を制御し、
ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助し、
システム温度が異常になったとき、システムを制御し、負荷を低減させるか断電する制御ユニット（１１０）、
（９ａ）制御ユニット（１１０）は、均熱装置（１０２）と「背面に散熱構造を持つ発光二極体（ＬＥＤ）の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）の上端に発光二極体（ＬＥＤ）（３００）及び「背面に散熱構造を持つ発光二極体（ＬＥＤ）の構成を持つ半導体応用装置」（１０３１）、及び「背面に散熱構造を持つ光エネルギーを電気エネルギーに転換する光電発電を構成する半導体応用装置」（１０３２）を設置し、及び電気エネルギー貯蔵装置（９００）を含み、制御ユニット（１１０）、ポンプ（１０６）、温度測定装置（１０７）、ろ過装置（１０８）のうちの一部の或いは全部ユニット装置を含み、
補助アーム（１１００）及び光線追跡装置（１２００）が設置され、光源を追跡することによって、「背面に散熱構造を持つ光エネルギーを電気エネルギーに転換する光電発電を構成する半導体応用装置」（１０３２）の光エネルギーを電気エネルギーに転換する効率を高めるサポーター（６００）、
（１６ｂ）流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いはニーズによって加設するポンプ（１０６）を通してポンピングすることによって、均熱装置（１０２）と「背面に散熱構造を持つ発光二極体（ＬＥＤ）の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）の間に流体（１０４）を通して、均一な温度を伝送すること、
（１７）自然貯温ユニット（１０１）に露出するサポーター（６００）と内部流体輸送配管（１０５）の間に入れ込むことによって、外部に対して耐熱効果を持ち、温度エネルギーロスを減少する耐熱物質（７００）であって、
耐熱物質（７００）を抽出空気の真空効果によって取り換え、サポーター（６００）は耐熱材料によって製成し、或いは流体輸送配管（１０５）は耐熱効果を持つ配管構造によって構成される耐熱物質（７００）、
（１８）サポーター（６００）に設置する自然貯温ユニット（１０１）内のパイプ内部と流体輸送配管（１０５）の間に入れ込むことによって構成され、流体輸送配管（１０５）の流体（１０４）が均熱装置（１０２）と自然貯温ユニット（１０１）を経過する温度均一化を保つ効果が高くなり、
また均熱装置（１０２）の本体構造を一体構成することができる導熱体（８００）、
以上の構成からなる半導体装置の温度均一化システム。
【請求項２】
システムの均熱装置（１０２）と半導体応用装置（１０３）間の均熱作動方式は、均熱装置（１０２）と半導体応用装置（１０３）の間に、少なくとも一個の流体輸送配管（１０５）と少なくとも一個ポンプ（１０６）を設置して閉鎖流路を形成し、ポンプ（１０６）を通して良好な熱伝導特性を有する流体（１０４）を圧送し、一方向流動を連続或いは間欠圧送し、或いはその圧送流量を制御することによって、均熱装置（１０２）と半導体応用装置（１０３）間の温度均一化機能を作動させることを特徴とする請求項１記載の半導体応用装置の温度均一化システム。
【請求項３】
ポンプ（１０６）は、
（１）単一ポンプによって、一方向流動の連続ポンピングを行う、
（２）単一ポンプによって、一方向流動の間欠ポンピングを行う、
（３）単一ポンプによって、一方向流動のポンピングを行い、流向変更可能なバルブによって制御し、周期によってポンピング流体の流向を変換する、
（４）多セットの異なる動力源のポンプを通して、同時に流向が異なるポンピングを行い、或いは別々に周期によってポンピング流体の流向を変換する、
（５）同一動力源を通して、同時に異なる流向のポンプを駆動し、連続的に異なる流向のポンピングを行い、或いは更に周期によってポンピング流体の流向を変換する、
（６）二方向回転ポンピング機能の二方向流動のポンプを使用し、動力源の回転方向を変更するにより、周期によってポンピング流体の流向を変換する、
のいずれか一つ以上の構成が用いられることを特徴とする請求項１記載の半導体応用装置の温度均一化システム。
【請求項４】
流体輸送配管（１０５）、及び選択的に設置される分流配管（１１９）は、貯熱性を有する材料で、ジグザグ形、迷路形、又は渦巻き形に形成され、自然貯温ユニット（１０１）の中に埋め込むことによって、均熱装置（１０２）の構成と自然貯温ユニット（１０１）間の均熱機能を取り換える或いは協力することを特徴とする請求項１記載の半導体応用装置の温度均一化システム。
【請求項５】
（７）配管の閉塞を防ぎ及び清潔機能を持つろ過装置であって、半導体応用装置の温度均一化システムを構成する装置の流体吸入口或いは流出口に設置され、或いは流体輸送配管の中に設置されるろ過装置（１０８）、
（１０）人力、機械力、流力、電磁力によって、流量の大小を制御する分流制御バルブ（１２０）、
が補助制御装置として設置されることを特徴とする請求項１記載の半導体応用装置の温度均一化システム。
【請求項６】
均熱装置（１０２）、半導体応用装置（１０３）、流体（１０４）、流体輸送配管（１０５）、ポンプ（１０６）、及び選択的に設置される温度測定装置（１０７）、ろ過装置（１０８）、温度調節補助装置（１０９）、制御ユニット（１１０）、流体分流配管（１１９）、分流制御バルブ（１２０）、分流補助ポンプ（１２１）を含む設置数量は、各一個以上とすることができ、
二個以上を用いるとき、その規格或いは材料は、同じ或いは異なるものを選択することができることを特徴とする請求項１記載の半導体応用装置の温度均一化システム。
【発明の詳細な説明】
【技術分野】
【０００１】
本発明は、自然貯温ユニットを利用して半導体応用装置の温度を均一化するシステムに関する。
【背景技術】
【０００２】
従来、固相或いは気相半導体応用装置の温度の保持、冷却或いは加熱には、通常、受動温調装置の設置を必要とした。
【発明の概要】
【発明が解決しようとする課題】
【０００３】
従来の受動温調装置の設置は、コストが高く、比較的大きなエネルギーを消耗する。
【課題を解決するための手段】
【０００４】
本発明の半導体応用装置の温度均一化システムは、比較的大きいかつ安定している貯温容量を持つ固相或いは液相の自然貯温ユニットの中に、流体が流通する均熱装置及び流体輸送配管を設置する。流体が再び固相或いは気相半導体応用装置を流れることによって、固相或いは気相半導体応用装置に対して、温度を均一に調節してから、流体は再び自然貯温ユニットの中に設置する均熱装置に戻るとき、自然貯温ユニットと良好な熱伝導機能を有する均熱装置によって、戻る流体に対して温度均一化機能を作動させる。
【０００５】
本発明の半導体応用装置の温度均一化システムは、比較的大きいかつ安定している貯温容量を持つ地層、地表、貯水池、湖泊、河川、砂漠、氷山、海洋等の固相或いは液相の自然貯温ユニットの中に、均熱装置及び流体輸送配管を設置する。これによって、均熱装置本体を通して、直接的に流通しまた固相或いは気相半導体応用装置を流れる温度差を示す流体に対して、温度均一化調節機能を作動させ、或いは加設する受動均熱装置と良好な熱伝導性を有する中継均熱器を通して、流れる温度差を示す流体に対して、温度均一化機能を作動させる。そのため、従来の受動温調装置を設置する必要がなく、固相或いは気相半導体応用装置の温度を維持、冷却、加熱することができる。
【図面の簡単な説明】
【０００６】
【図１】本発明による、一方向流動する流体が直接的に温度均一化を行うシステムを示す説明図である。
【図２】本発明による、二方向流動する流体が直接的に温度均一化を行うシステムを示す説明図である。
【図３】本発明の背面に散熱構造を持つ発光二極体（ＬＥＤ）或いはガス灯の構成を持つ半導体応用装置によって路灯を構成する応用実施例を示す説明図である。
【図４】図３の背面に散熱構造を持つ発光二極体（ＬＥＤ）或いはガス灯の構成を持つ半導体応用装置によって路灯を構成し、及び電気エネルギー貯蔵装置を設置する実施例を示す説明図である。
【図５】図４の実施例を更に光エネルギーを電気エネルギー（ｐｈｏｔｏｖｏｌｔａｉｃ）に転換する光電発電装置を配置する実施例を示す説明図である。
【図６】図５に別に光線追跡装置の補助アームを設置する実施例を示す説明図である。
【図７】本発明の光エネルギーを電気エネルギー（ｐｈｏｔｏｖｏｌｔａｉｃ）に転換する光電発電装置への応用実施例を示す説明図である。
【図８】図７に別に光線追跡装置の補助アームを設置する実施例を示す説明図である。
【図９】本発明の光エネルギーを電気エネルギー（ｐｈｏｔｏｖｏｌｔａｉｃ）に転換する光電発電装置への応用また電気エネルギー貯蔵装置を設置する実施例を示す説明図である。
【図１０】図９に別に光線追跡装置の補助アームを設置する実施例を示す説明図である。
【図１１】内部に流体配管の支柱と均熱装置１０２を持つことによってＵ型配管を構成する実施例を示す説明図である。
【図１２】本発明のオープン式の流体が温度均一化を保つ回路の構造説明図の一である。
【発明を実施するための形態】
【０００７】
一種の自然貯温ユニットを利用する半導体応用装置の温度均一化システムは、自然界の中に貯蔵している自然界の相対的に安定な温度エネルギーを持つ地層、地表、貯水池、湖泊、河川等の固相或いは液相の自然貯温ユニットの中に、良好な熱伝導特性を有する均熱装置を設置する。これによって、固相或いは気相半導体を流れる温度差を示す流体に対して、温度均一化調節機能を作動させ、或いは自然貯温ユニット本体によって、流体収容空間を有し、或いは直接的に流体輸送配管を構成し、流体が直接的に自然貯温ユニットと接触することによって、通過する流体に対して、温度均一化機能を作動させる。
【０００８】
本項の半導体応用装置の温度均一化システムは、環境、効果とコストを考慮することによって、下記システムの構成を含む。
（１）一方向流動する流体を通して、直接的に温度均一化システムによって構成する。
（２）一方向流動する流体を通して、間接的に温度均一化システムによって構成する。
（３）二方向流動する流体を通して、直接的に温度均一化システムによって構成する。
（４）二方向流動する流体を通して，間接的に温度均一化システムによって構成する。
【０００９】
図１に本発明が一方向流動する流体を通して、直接的に温度均一化システムの説明図を示す。システムは少なくとも１ヶ所に流体輸送配管１０５を設け、ポンプ１０６のポンピングを通して、流体が半導体応用装置１０３に流れてから、再び流体輸送配管１０５を通って、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット１０１に設置する均熱装置１０２へ戻り、流体流路を構成する。システムの主な構成は下記を含む。
【００１０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。一個或いは一個以上の均熱装置１０２に対して、同一半導体応用装置によって、自然貯温ユニットの温度均一化システムに対して、温度均一化を保つことを含む。或いは一個の均熱装置１０２によって、一個或いは一個以上の独立設置する自然貯温ユニットの温度均一化システムを通して半導体応用装置の温度均一化を保つ。或いは二個或いは二個以上の均熱装置１０２によって、二個或いは二個以上の独立設置する自然貯温ユニットの温度均一化システムを通して半導体応用装置の温度均一化を保つ。
【００１１】
−−半導体応用装置１０３：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む。各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置１０３本体によって冷却或いは加熱装置の散熱器を配置し、温度均一化を保つ構成を含む。
【００１２】
半導体応用装置１０３本体の内部に、流体１０４を流通する配管を持ち、及び半導体応用装置１０３に温度を均一に保とうとする標的構造の位置に、流体１０４温度均一化調節構造を設置し、或いは直接的に流体１０４を流通する配管に、温度均一化調節の標的位置を通過するときに、直接的に温度均一化調節機能を作動させ、またニーズによって流体分流配管１１９、分流制御バルブ１２０、分流補助ポンプ１２１等の装置を選択的に設置し、自然貯温ユニット１０１の中に設置する均熱装置１０２を通過する流体１０４を導入し、半導体応用装置１０３を通過することによって、選定する個別温度を均一に保とうとする一部の温度を均一に調節し、また再び均熱装置１０２へ戻り、循環を形成することによって、温度均一化機能を作動させる。
【００１３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する半導体応用装置１０３の分流配管１１９を通過してから、再び流体輸送配管１０５を経て、均熱装置１０２へ戻り、循環を形成することによって、温度均一化機能を作動させる。
【００１４】
−−流体輸送配管１０５：流体１０４が流動する配管構造によって構成し、均熱装置１０２と半導体応用装置１０３の間に設置し、またポンプ１０６を連続設置する。流体輸送配管１０５はニーズによってオープン式或いは引き抜ける構造を選択的に設置することによって、整備作業が便利になる。
【００１５】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００１６】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００１７】
−−温度測定装置１０７：各種のよく使われるアナログ或いはデジタル機械電気或いは固相電子装置によって構成され、半導体応用装置１０３に設置する。温度を指示し、或いは制御信号を制御ユニット１１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００１８】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００１９】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００２０】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と半導体応用装置１０３間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【００２１】
もし半導体応用装置１０３に流体分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
本項の制御ユニット１１０はニーズによって機能を設定し、またニーズによって設置或いは設置しないことを選択することができる。
【００４０】
図３に本発明の二方向流動する流体を通して、直接的に温度均一化システム説明図を示す。比較的大きいかつ相対的に安定している貯温容量を持つ地層、地表、貯水池、湖泊、河川、砂漠、氷山、海洋等の固相或いは液相の自然貯温ユニットによって構成する自然貯温ユニット１０１の中に、良好な熱伝導特性を有する均熱装置１０２を設置し、均熱装置１０２と自然貯温ユニット１０１によって、均熱伝送機能を作動させる。図３に示すシステムの主な構成は下記を含む。
【００４１】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。一個或いは一個以上の均熱装置１０２に対して、同一半導体応用装置によって、自然貯温ユニットの温度均一化システムに対して、温度均一化を保つことを含む。或いは一個の均熱装置１０２によって、一個或いは一個以上の独立設置する自然貯温ユニットの温度均一化システムを通して半導体応用装置の温度均一化を保つ。或いは二個或いは二個以上の均熱装置１０２によって、二個或いは二個以上の独立設置する自然貯温ユニットの温度均一化システムを通して半導体応用装置の温度均一化を保つ。
【００４２】
−−半導体応用装置１０３：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む：各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置１０３本体によって冷却或いは加熱装置の散熱器を配置し、温度均一化を保つ構成を含む。
【００４３】
半導体応用装置１０３本体の内部に、流体１０４を流通する配管を持ち、及び半導体応用装置１０３に温度を均一に保とうとする標的構造の位置に、流体１０４温度均一化調節構造を設置し、或いは直接的に流体１０４を流通する配管に、温度均一化調節の標的位置を通過するときに、直接的に温度均一化調節機能を作動させ、またニーズによって流体分流配管１１９、分流制御バルブ１２０、分流補助ポンプ１２１等の装置を選択的に設置し、自然貯温ユニット１０１の中に設置する均熱装置１０２を通過する流体１０４を導入し、半導体応用装置１０３を通過することによって、選定する個別温度を均一に保とうとする一部の温度を均一に調節し、また再び均熱装置１０２へ戻り、循環を形成することによって、温度均一化機能を作動させる。
【００４４】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する半導体応用装置１０３の分流配管１１９を通過してから、再び流体輸送配管１０５を経て、均熱装置１０２へ戻り、循環を形成することによって、温度均一化機能を作動させる。
【００４５】
−−流体輸送配管１０５：流体１０４が流動する配管構造によって構成し、均熱装置１０２と半導体応用装置１０３の間に設置し、またポンプ１０６を連続設置する。流体輸送配管１０５はニーズによってオープン式或いは引き抜ける構造を選択的に設置することによって、整備作業が便利になる。
【００４６】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００４７】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００４８】
−−温度測定装置１０７：各種のよく使われるアナログ或いはデジタル機械電気或いは固相電子装置によって構成され、半導体応用装置１０３に設置する。温度を指示し、或いは制御信号を制御ユニット１１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００４９】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００５０】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００５１】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と半導体応用装置１０３間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。周期的に正方向または逆方向に切替えることによって、流体１０４の流向を圧送し、その作動方式連続圧送作動と間欠圧送作動を含む。その制御作動は下記を含む。
【００５２】
−−制御ユニット１１０を通してポンプ１０６を制御し、流体１０４に対して、周期的に正方向または逆方向へ圧送し、均熱装置１０２、流体輸送配管１０５及び半導体応用装置１０３内部を通過する流体１０４の流向を周期的に切替え、均熱装置１０２及び半導体応用装置１０３の流体流入口と流出口を通過する流体１０４は、流向を周期的に切替えることによって、温度均一化を保つ効果が高くなり、二方向流動の温度均一化を制御する。
【００５３】
もし半導体応用装置１０３に流体分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
【００５４】
本項の制御ユニット１１０はニーズによって機能を設定し、またニーズによって設置或いは設置しないことを選択することができる。
【００７３】
上記の図１に示すシステムの均熱装置１０２と半導体応用装置１０３間の均熱作動方式は、均熱装置１０２と半導体応用装置１０３の間に、少なくとも一個の流体輸送配管１０５を設け、及び少なくとも一個のポンプ１０６によって閉鎖流路を形成し、ポンプ１０６を通して良好な熱伝導特性を有する流体１０４を圧送し、一方向流動の連続或いは間欠圧送を行い、或いはその圧送流量を制御することによって、均熱装置１０２と半導体応用装置１０３の間に、温度均一化機能を作動させる。
【００７４】
図２に示すシステムの均熱装置１０２と半導体応用装置１０３間の均熱作動方式は、均熱装置１０２と半導体応用装置１０３の間に、流体１０４を通過する流体輸送配管１０５及びポンプ１０６を設け、制御ポンプ１０６の流体１０４のポンピングを制御することによって、連続或いは間欠ポンピングを行い、その流体のポンピング流向を周期的に切替えることによって、均熱装置１０２と半導体応用装置１０３間の温度差を均衡する。
【００７５】
図１及び図２に示すシステムは、伝熱性が良くまたよく使われるヒートパイプを直接的に均熱装置１０２と半導体応用装置１０３の間に設置することによって、流体輸送配管１０５を取り換え、或いは選択的に設置する分流配管１１９を取り換えることによって、温度均一化機能を作動させる。
【００８２】
本項の半導体応用装置の温度均一化システムの関連説明で述べたポンプ１０６は、下記からなることができる。
（１）単一ポンプによって、一方向流動の連続ポンピングを行う。或いは、
（２）単一ポンプによって、一方向流動の間欠ポンピングを行う。或いは、
（３）単一ポンプによって、一方向流動のポンピングを行い、流向変更可能なバルブによって制御し、周期によってポンピング流体の流向を変換する。或いは、
（４）多セットの異なる動力源のポンプを通して、同時に流向が異なるポンピングを行い、或いは別々に周期によってポンピング流体の流向を変換する。或いは、
（５）同一動力源を通して、同時に異なる流向のポンプを駆動し、連続的に異なる流向のポンピングを行い、或いは更に周期によってポンピング流体の流向を変換する。或いは
（６）二方向回転ポンピング機能の二方向流動のポンプを使用し、動力源の回転方向を変更するにより、周期によってポンピング流体の流向を変換する。
【００８３】
本項の半導体応用装置の温度均一化システムの関連説明で述べた流体輸送配管１０５或いは取り換える選択的に設置する分流配管１１９は、貯熱性が高い材料であってよいが、材料は必要な長さ及び特定の幾何形状や構造、例えばジグザグ形、迷路形、渦巻き形によって構成することが可能で、自然貯温ユニット１０１の中に埋め込むことによって、均熱装置１０２の構成と自然貯温ユニット１０１間の均熱機能を取り換える或いは協力する。
【００８４】
本項の半導体応用装置の温度均一化システムの関連説明で述べた半導体応用装置の温度均一化システムは、更にニーズによって、下記を含む補助制御装置を選択的に設置することができる。
【００８５】
−−ろ過装置：配管の閉塞を防ぎ及び清潔機能を持つろ過装置であって、システムの各項装置の流体吸入口或いは流出口に装置し、或いは流体輸送配管の中に設置する。ろ過装置はフィルター或いはその他よく使われるろ過装置によって構成することができる。本項の装置はニーズによって、設置或いは設置しないことを選択することができる。
【００８６】
−−分流制御バルブ：人力、機械力、流力、電磁力によって、流量の大小を制御する。本項の装置はニーズによって、設置或いは設置しないことを選択することができる。
【００８７】
本項の半導体応用装置の温度均一化システムの中の各項目の構造、例えば均熱装置１０２、半導体応用装置１０３、流体１０４、流体輸送配管１０５、ポンプ１０６、温度測定装置１０７を選択的に設置し、ろ過装置１０８、温度調節補助装置１０９、制御ユニット１１０、流体分流配管１１９、分流制御バルブ１２０、分流補助ポンプ１２１等の設置数量は、各一個或いは一個以上であることができる。各項が二個或いは二個以上を用いるとき、その規格或いは材料はニーズによって、同じ或いは異なるものを選択することができる。
【００８９】
図３の実施例は、本発明を背面に散熱構造を持つ発光二極体（ＬＥＤ）或いはガス灯の構成を持つ半導体応用装置を路灯へ応用する実施例の説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）によって構成する背面に散熱構造を持つ発光二極体（ＬＥＤ）或いはガス灯の構成を持つ半導体応用装置１０３１に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１に流れてから、再び流体輸送配管１０５を経て、自然貯温ユニット１０１に設置する均熱装置１０２へ戻ることによって、流体循環を構成する。その主な構成は下記を含む。
【００９０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。また一個の均熱装置１０２が、一個或いは一個以上の独立に設置する背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。また二個或いは二個以上の均熱装置１０２が、二個或いは二個以上の独立に設置する背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。
【００９１】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【００９２】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【００９３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する背面に散熱構造を持つ発光二極体（ＬＥＤ）或いはガス灯の構成を持つ半導体応用装置１０３１を通過してから、再び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【００９４】
−−流体輸送配管１０５：流体１０４が流動する配管構造によって構成し、均熱装置１０２と背面に散熱構造を持つ発光二極体（ＬＥＤ）或いはガス灯の構成を持つ半導体応用装置１０３１の間に設置し、またポンプ１０６を連続設置する。流体輸送配管１０５はニーズによってオープン式或いは引き抜ける構造を選択的に設置することによって、整備作業が便利になる。
【００９５】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００９６】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１に設置する。温度を指示し、或いは制御信号を制御ユニット１１０及び／或いはドライブ制御回路３１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００９７】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００９８】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００９９】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１００】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００と下記の一部の或いは全部ユニット装置を含む。制御ユニット１１０、ポンプ１０６、温度測定装置１０７、ろ過装置１０８。上述のサポーター６００の背面に散熱構造を持つ発光二極体（ＬＥＤ）或いはガス灯の構成を持つ半導体応用装置１０３１は、流体輸送配管を持ち、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１の間に、流体１０４を通して、均一な温度を伝送する。
【０１０１】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１０２】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１０３】
図４は図３の背面に散熱構造を持つ発光二極体（ＬＥＤ）或いはガス灯の構成を持つ半導体応用装置によって構成する路灯及び電気エネルギー貯蔵装置を設置する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）によって構成する背面に散熱構造を持つ発光二極体（ＬＥＤ）或いはガス灯の構成を持つ半導体応用装置１０３１及び電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１及び電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１０４】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１及び／或いは電気エネルギー貯蔵装置９００によって構成する半導体応用装置に対して、自然貯温ユニットの温度均一化システムを通して、温度均一化を保つ。或いは一個の均熱装置１０２によって、一個或いは一個以上の背面に散熱構造を持つ発光二極体（ＬＥＤ）或いはガス灯の構成を持つ半導体応用装置１０３１及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ発光二極体（ＬＥＤ）或いはガス灯の構成を持つ半導体応用装置１０３１及び／或いは電気エネルギー貯蔵装置９００によって独立設置する半導体応用装置の設置を通して、自然貯温ユニットの温度均一化システムを通して、温度均一化を保つ。
【０１０５】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【０１０６】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【０１０７】
−−電気エネルギー貯蔵装置９００：各種の充放電可能な二次電池或いはコンデンサやスーパーコンデンサによって構成し、電気エネルギーを貯蔵し、及び発光二極体（ＬＥＤ）或いはガス灯３００に対して給電する。電気エネルギー貯蔵装置９００はニーズによって、温度測定装置１０７及び流体輸送配管１０５を設置することができる。
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、混合流或いは分流方式を選択し、背面に散熱構造を持つ発光二極体（ＬＥＤ）或いはガス灯の構成を持つ半導体応用装置１０３１及び／或いは電気エネルギー貯蔵装置９００を通過し、再び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１０８】
−−流体輸送配管１０５：流体１０４が流動する配管構造によって構成し、均熱装置１０２と背面に散熱構造を持つ発光二極体（ＬＥＤ）或いはガス灯の構成を持つ半導体応用装置１０３１及び／或いは電気エネルギー貯蔵装置９００の間に設置し、またポンプ１０６を連続設置する。流体輸送配管１０５はニーズによってオープン式或いは引き抜ける構造を選択的に設置することによって、整備作業が便利になる。
【０１０９】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１１０】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１及び／或いは電気エネルギー貯蔵装置９００に設置する。温度を指示し、或いは制御信号を制御ユニット１１０及び／或いはドライブ制御回路３１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１１１】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１１２】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１１３】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１１４】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００及び電気エネルギー貯蔵装置９００と下記の一部の或いは全部ユニット装置を含む。制御ユニット１１０、ポンプ１０６、温度測定装置１０７、ろ過装置１０８。上述の電気エネルギー貯蔵装置９００及び／或いは背面に散熱構造を持つ発光二極体（ＬＥＤ）或いはガス灯の構成を持つ半導体応用装置１０３１及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１及び／或いは電気エネルギー貯蔵装置９００の間に、流体１０４を通して、均一な温度を伝送する。
【０１１５】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１１６】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１１７】
図５は図４の実施例に更に光エネルギーを電気エネルギー（ｐｈｏｔｏｖｏｌｔａｉｃ）に転換する光電発電装置を配置する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）或いはガス灯３００によって構成する背面に散熱構造を持つ発光二極体（ＬＥＤ）或いはガス灯の構成を持つ半導体応用装置１０３１及び／或いは光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１及び／或いは光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１１８】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって構成する半導体応用装置に対して、自然貯温ユニットの温度均一化システムを通して、温度均一化を保つ。或いは一個の均熱装置１０２によって、一個或いは一個以上の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって独立設置する半導体応用装置の設置を通して、自然貯温ユニットの温度均一化システムを通して、温度均一化を保つ。
【０１１９】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【０１２０】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【０１２１】
−−電気エネルギー貯蔵装置９００：各種の充放電可能な二次電池或いはコンデンサやスーパーコンデンサによって構成し、電気エネルギーを貯蔵し、及び発光二極体（ＬＥＤ）或いはガス灯３００に対して給電する。電気エネルギー貯蔵装置９００はニーズによって、温度測定装置１０７及び流体輸送配管１０５を設置することができる。
【０１２２】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー貯蔵装置９００へ輸送し、或いは発光二極体（ＬＥＤ）或いはガス灯３００に対して給電する。
【０１２３】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１２４】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、混合流或いは分流方式を選択し、背面に散熱構造を持つ発光二極体（ＬＥＤ）或いはガス灯の構成を持つ半導体応用装置１０３１や電気エネルギー貯蔵装置９００や背面に散熱構造を持つ光エネルギーを電気エネルギー（ｐｈｏｔｏｖｏｌｔａｉｃ）に転換する光電発電を構成する半導体応用装置１０３２の三つの中で、少なくともその中の一を通過し、流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１２５】
−−流体輸送配管１０５：流体１０４が流動する配管構造によって構成し、均熱装置１０２と背面に散熱構造を持つ発光二極体（ＬＥＤ）やガス灯の構成を持つ半導体応用装置１０３１、背面に散熱構造を持つ光エネルギーを電気エネルギー（ｐｈｏｔｏｖｏｌｔａｉｃ）に転換する光電発電を構成する半導体応用装置１０３２や電気エネルギー貯蔵装置９００の三つの中で、少なくともその中の一つの間に設置し、またポンプ１０６を連続設置する。流体輸送配管１０５はニーズによって、オープン式或いは引き抜ける構造を選択的に設置することによって、整備作業が便利になる。
【０１２６】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１２７】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１２８】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１２９】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１３０】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１３１】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００、及び／或いは背面に散熱構造を持つ光エネルギーを電気エネルギー（ｐｈｏｔｏｖｏｌｔａｉｃ）に転換する光電発電を構成する半導体応用装置１０３２及び電気エネルギー貯蔵装置９００と下記の一部の或いは全部ユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２にサポーターの高い端或いは中間段に設置することを選択し、或いは別に補助アーム１１００、或いは図６に示すように、別に光線追跡装置１２００の補助アーム１１００を設置し、光源を追跡することによって、背面に散熱構造を持つ光エネルギーを電気エネルギー（ｐｈｏｔｏｖｏｌｔａｉｃ）に転換する光電発電を構成する半導体応用装置１０３２の光エネルギーを電気エネルギーに転換する効率を高める。上述のサポーター６００の背面に設置する散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００の間に、流体１０４を通して、均一な温度を伝送する。
【０１３２】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１３３】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１３４】
図７は本発明の光エネルギーを電気エネルギー（ｐｈｏｔｏｖｏｌｔａｉｃ）に転換する光電発電装置への応用実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置１０３２に流れてから、再び流体輸送配管１０５を経て、自然貯温ユニット１０１に設置する均熱装置１０２へ戻ることによって、流体循環を構成する。その主な構成は下記を含む。
【０１３５】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ光エネルギーを電気エネルギー（ｐｈｏｔｏｖｏｌｔａｉｃ）に転換する光電発電装置を構成する半導体応用装置１０３２によって構成する半導体応用装置に対して、自然貯温ユニットの温度均一化システムを通して、温度均一化を保つ。或いは一個の均熱装置１０２によって、一個或いは一個以上の背面に散熱構造を持つ光エネルギーを電気エネルギー（ｐｈｏｔｏｖｏｌｔａｉｃ）に転換する光電発電装置を構成する半導体応用装置１０３２によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ光エネルギーを電気エネルギー（ｐｈｏｔｏｖｏｌｔａｉｃ）に転換する光電発電装置を構成する半導体応用装置１０３２によって独立設置する半導体応用装置の設置を通して、自然貯温ユニットの温度均一化システムを通して、温度均一化を保つ。
【０１３６】
−−ドライブ制御回路３１０：光エネルギーを電気エネルギー（ｐｈｏｔｏｖｏｌｔａｉｃ）に転換する光電発電装置１０００の発電の出力電圧或いは電流を制御する。
【０１３７】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー制御装置１００５へ輸送してから、再び外部に対して電気エネルギーを出力する。
【０１３８】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１３９】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び／或いは流体輸送配管１０５、及び／或いは背面に散熱構造を持つ光エネルギーを電気エネルギー（ｐｈｏｔｏｖｏｌｔａｉｃ）に転換する光電発電装置を構成する半導体応用装置１０３２を通過してから、び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１４０】
−−流体輸送配管１０５：流体１０４が流動する配管構造によって構成し、均熱装置１０２と背面に散熱構造を持つ光エネルギーを電気エネルギー（ｐｈｏｔｏｖｏｌｔａｉｃ）に転換する光電発電装置を構成する半導体応用装置１０３２の間に設置し、またポンプ１０６を連続設置する。流体輸送配管１０５はニーズによって、オープン式或いは引き抜ける構造を選択的に設置することによって、整備作業が便利になる。
【０１４１】
−−ポンプ１０６：光エネルギーを電気エネルギー（ｐｈｏｔｏｖｏｌｔａｉｃ）に転換する光電発電装置１０００によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１４２】
−−温度測定装置１０７：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置１０３２に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１４３】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１４４】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１４５】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２及び／或いは背面に散熱構造を持つ光エネルギーを電気エネルギー（ｐｈｏｔｏｖｏｌｔａｉｃ）に転換する光電発電を構成する半導体応用装置１０３２間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１４６】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に背面に散熱構造を持つ光エネルギーを電気エネルギー（ｐｈｏｔｏｖｏｌｔａｉｃ）に転換する光電発電を構成する半導体応用装置１０３２を設置し、及び下記の一部或いは全部のユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２に、サポーター或いは別に補助アーム１１００を設け、或いは図８に示すように別に光線追跡装置１２００の補助アーム１１００を設けることによって、光源追跡の設置を選択することによって、光エネルギーを電気エネルギー（ｐｈｏｔｏｖｏｌｔａｉｃ）に転換する効率を高める。上述のサポーター６００の背面に散熱構造を持つ光エネルギーを電気エネルギー（ｐｈｏｔｏｖｏｌｔａｉｃ）に転換する光電発電を構成する半導体応用装置１０３２を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ光エネルギーを電気エネルギー（ｐｈｏｔｏｖｏｌｔａｉｃ）に転換する光電発電を構成する半導体応用装置１０３２の間に、流体１０４を通して、均一な温度を伝送する。
【０１４７】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１４８】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１４９】
図９は本発明の光エネルギーを電気エネルギー（ｐｈｏｔｏｖｏｌｔａｉｃ）に転換する光電発電装置また電気エネルギー貯蔵装置の設置へ応用する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１５０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって構成する半導体応用装置に対して、自然貯温ユニットの温度均一化システムを通して、温度均一化を保つ。温度均一化を保つ。或いは一個の均熱装置１０２によって、一個或いは一個以上の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって独立設置する半導体応用装置の設置を通して、自然貯温ユニットの温度均一化システムを通して、温度均一化を保つ。
【０１５１】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー貯蔵装置９００へ輸送し、或いは外部に対して給電する。
−−電気エネルギー貯蔵装置９００：各種の充放電可能な二次電池或いはコンデンサやスーパーコンデンサによって構成し、背面に散熱構造を持つ光エネルギーを電気エネルギー（ｐｈｏｔｏｖｏｌｔａｉｃ）に転換する光電発電を構成する半導体応用装置１０３２が発電する電気エネルギーを貯蔵し、及び外部に対して出力する。電気エネルギー貯蔵装置９００はニーズによって、温度測定装置１０７及び流体輸送配管１０５を設置することができる。
【０１５２】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１５３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び／或いは流体輸送配管１０５、及び／或いは背面に散熱構造を持つ光エネルギーを電気エネルギー（ｐｈｏｔｏｖｏｌｔａｉｃ）に転換する光電発電装置を構成する半導体応用装置１０３２を通過してから、び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１５４】
−−流体輸送配管１０５：流体１０４が流動する配管構造によって構成し、均熱装置１０２と背面に散熱構造を持つ光エネルギーを電気エネルギー（ｐｈｏｔｏｖｏｌｔａｉｃ）に転換する光電発電装置を構成する半導体応用装置１０３２の間に設置し、またポンプ１０６を連続設置する。流体輸送配管１０５はニーズによって、オープン式或いは引き抜ける構造を選択的に設置することによって、整備作業が便利になる。
【０１５５】
−−ポンプ１０６：光エネルギーを電気エネルギー（ｐｈｏｔｏｖｏｌｔａｉｃ）に転換する光電発電装置１０００によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１５６】
−−温度測定装置１０７：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１５７】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１５８】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１５９】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を設置し、及び下記の一部或いは全部のユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２に、サポーター或いは別に補助アーム１１００を設け、或いは図１０に示すように別に光線追跡装置１２００の補助アーム１１００を設けることによって、光源追跡の設置を選択することによって、光エネルギーを電気エネルギー（ｐｈｏｔｏｖｏｌｔａｉｃ）に転換する効率を高める。上述のサポーター６００の背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ光エネルギーを電気エネルギー（ｐｈｏｔｏｖｏｌｔａｉｃ）に転換する光電発電を構成する半導体応用装置１０３２の間に、流体１０４を通して、均一な温度を伝送する。
【０１６０】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１６１】
−−導熱体８００：導熱物質をサポーター６００に設置する自然貯温ユニット１０１内のパイプ内部と流体輸送配管１０５の間に入れ込むことによって構成し、流体輸送配管１０５の流体が均熱装置１０２と自然貯温ユニット１０１を経過する温度均一化を保つ効果が高くなる。導熱体はまた均熱装置１０２の本体構造を一体構成することができる。
【０１６２】
本項の半導体応用装置の温度均一化システムのサポーター６００は、また一個或いは一個以上のＵ型配管によってサポーターの支柱を構成し、Ｕ型配管の上端は、例えば図３、４、５、６、７、８、９、１０の上端に設置する支え台構造と結合することによって、半導体関連応用装置と制御関連回路装置を設置し、Ｕ型配管の上端の流体配管は、半導体応用装置に設置する或いは選択的に設置する電気エネルギー貯蔵装置９００の流体輸送配管１０５と連結することによって、一つの閉鎖流体回路を構成し、流体を通過して、均熱装置１０２間の温度エネルギーを伝送し、更に設置する半導体装置の機能によって、ポンプろ過装置や光線追跡装置１２００等の設置を選択することができる。
【０１６３】
Ｕ型配管は耐熱材料によって構成し、或いは耐熱材料を覆い、或いは耐熱層の管材を覆うことによって構成し、或いは直徑が比較的大きい外管６２０によってサポーター６００の構造を構成し、内部に直徑が比較的小さい内部流体輸送配管１０５貫通して設置するによって、流体が流通する、Ｕ型配管は自然貯温ユニット１０１以上の一部に露出し、その外管６２０の外部は耐熱材料を覆い、外管６２０の内壁と内部流体輸送配管１０５間の空間に耐熱物質７００を詰込み、Ｕ型配管の上端は、例えば図３、４、５、６、７、８、９、１０の上端に設置する支え台構造と結合することによって、Ｕ型配管本体は流体配管機能の構造を持つ。その構成方式は下記の一種或いは一種以上を含む。
【０１６４】
（１）自然貯温ユニット１０１内の配管に入れ込む配管は、良好な熱伝導特性を有する材料によって構成し、自然貯温ユニット１０１と良好な熱伝導特性を有する構造によって均熱機能を構成し、また外管６２０を自然貯温ユニット１０１に入れ込む部分と内部流体輸送配管の間に、導熱体８００を詰込む。（図１１は内部に流体配管の支柱と均熱装置１０２によって構成するＵ型配管の実施例を示す説明図である）。
【０１６７】
上述のＵ型配管の内部に自然貯温ユニット１０１に設置する均熱装置１０２へ通じる流体輸送配管１０５を持つ、その上端に流体流入口を持ち、流体流出口は外部に設置する流体輸送配管１０５を通して、気相或いは液相半導体応用装置に設置し、或いは選択的に設置する電気エネルギー貯蔵装置９００の流体輸送配管１０５と連接し、また流体の温かい空気は上昇し、冷たい空気は下降する自然対流或いはポンプ１０６を設置することによって、流体を圧送して、均熱循環のポンピングを行う。
【０１６８】
本項の半導体応用装置の温度均一化システムは、またオープン式の流体の温度均一化を保つ回路構造を採用することも可能で、即ち外部流体がろ過装置１０８を通過してから、再び自然貯温ユニット１０１の中に設置する均熱装置１０２へ進入し、サポーター６００に設置する流体輸送配管１０５が発光二極体（ＬＥＤ）或いはガス灯３００の背面に散熱構造を持つ発光二極体（ＬＥＤ）或いはガス灯の構成を持つ半導体応用装置１０３１、及び／或いは光エネルギーを電気エネルギー（ｐｈｏｔｏｖｏｌｔａｉｃ）に転換する光電発電装置１０００の背面に散熱構造を持つ光エネルギーを電気エネルギー（ｐｈｏｔｏｖｏｌｔａｉｃ）に転換する光電発電を構成する半導体応用装置１０３２へ通じ、及び／或いは電気エネルギー貯蔵装置９００は、再びろ過装置１０８或いは網穴状カバーを通過し、外部に対して流体を排出し、或いは直接的に排出することを含む。図１２は本発明のオープン式流体が温度均一化を保つ回路の構造説明図の一である。その中に、自然貯温ユニット１０１の中に入れ込む配管は、良好な熱伝導特性を有する材料によって構成し、自然貯温ユニット１０１と良好な熱伝導特性を有する構造によって均熱機能を構成し、また外管６２０を自然貯温ユニット１０１に入れ込む部分と内部流体輸送配管の間に、導熱体８００を詰込む。
【０１７１】
上述をまとめると、本項の半導体応用装置の温度均一化システムは、自然貯温ユニットの長年安定な温度エネルギーを通して、自然貯温ユニットの中に設置する均熱装置１０２が通過する流体１０４を温度エネルギーのキャリアーとして、流体１０４が発光二極体（ＬＥＤ）或いはガス灯３００の背面に散熱構造を持つ発光二極体（ＬＥＤ）或いはガス灯の構成を持つ半導体応用装置１０３１、及び／或いは光エネルギーを電気エネルギー（ｐｈｏｔｏｖｏｌｔａｉｃ）に転換する光電発電装置１０００の背面に散熱構造を持つ光エネルギーを電気エネルギー（ｐｈｏｔｏｖｏｌｔａｉｃ）に転換する光電発電を構成する半導体応用装置１０３２、及び／或いは電気エネルギー貯蔵装置９００を通過するときに均熱機能を産生するので、伝統的加熱或いは加熱温度を制御することによって、必要エネルギーが少なくなることを特徴とする。
【符号の説明】
【０１７２】
１０１：自然貯温ユニット
１０２：均熱装置
１０３：半導体応用装置
１０３１：背面に散熱構造を持つ発光二極体（ＬＥＤ）に設置し、或いはガス灯の構成を持つ半導体応用装置
１０３２：背面に散熱構造を持つ光エネルギーを電気エネルギー（ｐｈｏｔｏｖｏｌｔａｉｃ）に転換する光電発電装置を構成する半導体応用装置
１０４、２０４：流体
１０５、２０５：流体輸送配管
１０６：ポンプ
１０７：温度測定装置
１０８：ろ過装置
１０９：温度調節補助装置
１１０：制御ユニット
１１９：流体分流配管
１２０：分流制御バルブ
１２１：分流補助ポンプ
３００：発光二極体（ＬＥＤ）或いはガス灯
３１０：ドライブ制御回路
４００：灯の光学及びシェール構造
６００：サポーター
６０１：温度伝達バネ
６２０：外管
７００：耐熱物質
８００：耐熱物質
９００：電気エネルギー貯蔵装置
１０００：光エネルギーを電気エネルギー（ｐｈｏｔｏｖｏｌｔａｉｃ）に転換する光電発電装置
１００５：電気エネルギー制御装置
１１００：補助アーム
１２００：光線追跡装置
【図１】
0006351199.tif 000002
【図２】
0006351199.tif 000003
【図３】
0006351199.tif 000004
【図４】
0006351199.tif 000005
【図５】
0006351199.tif 000006
【図６】
0006351199.tif 000007
【図７】
0006351199.tif 000008
【図８】
0006351199.tif 000009
【図９】
0006351199.tif 000010
【図１０】
0006351199.tif 000011
【図１１】
0006351199.tif 000012
【図１２】
0006351199.tif 000013